(57)【特許請求の範囲】
【請求項１】
部品に突設され切欠部(43)を挟んで対を成す脚片(41)(41)によって形成された取付脚(４)を、プリント配線基板(１)に開設した孔(２)に嵌めた部品の取付け構造において、該孔(２)は２つの溝孔(21)(22)が交差して重なった形状を呈しており、プリント配線基板(１)の両面に部品(３)(31)が搭載されて、共通の孔(２)の一方の溝孔(21)に一方の部品(３)の取付脚(４)が嵌まり、他方の溝孔(22)に他方の部品(31)の取付脚(４)が嵌まって、両取付脚は、互いの切欠部によって干渉が避けられているプリント配線基板への部品取付け構造。
【請求項２】
部品に突設され切欠部(43)を挟んで対を成す脚片(41)(41)によって形成された取付脚(４)を、プリント配線基板(１)に開設した孔に嵌めた部品の取付構造において、該孔は四角形を呈しており、プリント配線基板(１)の両面に部品(３)(31)が搭載されて、四角孔(2a)の１組の対角上(23)上に一方の部品(３)の取付脚(４)が嵌まり、他の１組の対角上(24)上に他方の部品(31)の取付脚(４)が嵌まって、両取付脚は、互いの切欠部によって干渉が避けられているプリント配線基板への部品取付け構造。
【請求項３】
脚片(41)は先端に外向きに爪(42)を有し、脚片(41)は孔を貫通して該爪(42)が孔縁に引っ掛かっている請求項１又は２に記載の部品取付け構造。
【発明の詳細な説明】
【０００１】
【発明の属する分野】
本発明は、プリント配線基板に開設した孔に、シールドケース等の部品に突設した取付脚を嵌めて取り付ける部品取付け構造に関するものである。
【０００２】
【従来の技術】
図６に示す如く、従来部品の取付け構造は、シールドケース等の部品(３)に突設した取付脚(４)を、プリント配線基板(１)に開設した溝孔(20)に嵌めているだけである。
取付脚(４)は、切欠部(43)を挟んで対を成す脚片(41)(41)によって形成されており、脚片(41)(41)を弾性変形させて溝孔(20)に嵌め、両脚片(41)(41)を溝孔の両端を突っ張らせて、部品(３)を保持している。
【０００３】
【発明が解決しようとする課題】
上記の場合、プリント配線基板(１)の両面に部品を搭載する場合、共通の孔にプリント配線基板(１)の両面から部品の取付脚を嵌め込むことは出来ず、孔の数を増やさねばならない。プリント配線に支障とならない様に孔の数を増やすためには、プリント配線基板(１)を大きくせねばならない等の問題があった。
本発明は、プリント配線基板の両面に配備した部品を、基板上の共通の孔に取付脚を嵌めて保持できる取付け構造を明らかにするものである。
【０００４】
【課題を解決する手段】
本発明のプリント配線基板両面への部品の取付け構造は、部品に突設され切欠部(43)を挟んで対を成す脚片(41)(41)によって形成された取付脚(４)を、プリント配線基板(１)に開設した孔(２)に嵌めた部品の取付け構造において、該孔(２)は２つの溝孔(21)(22)が交差して重なった形状を呈しており、プリント配線基板(１)の両面に部品(３)(31)が搭載されて、共通の孔(２)の一方の溝孔(21)に一方の部品(３)の取付脚(４)が嵌まり、他方の溝孔(22)に他方の部品(31)の取付脚(４)が嵌まって、両取付脚は、互いの切欠部によって干渉が避けられている。
【０００５】
プリント配線基板(１)上の孔(２)を四角孔(2a)として、四角孔(2a)の１組の対角上(23)上にプリント配線基板(１)の一方の面上の部品(３)の取付脚(４)を嵌め、他の１組の対角上(24)上に他方の面上の部品(31)の取付脚(４)を嵌めても可い。
【０００６】
【作用及び効果】
取付脚(４)は、切欠部(43)を挟んで対を成す脚片(41)(41)から成るため、プリント配線基板(１)の両面の部品(３)(31)の取付脚(４)(４)は、互いの切欠部(43)(43)によって干渉が避けられ、取付脚(４)(４)の孔への差込みに支障はない。プリント配線基板(１)の両面の部品(３)(31)の取付脚(４)(４)を基板(１)の共通の孔に嵌めて保持できるため、孔の数を少なくでき、孔の数が増えることによる前記問題をなくすことができる。
【０００７】
【発明の実施の形態】
図１は、プリント配線基板(１)の両面に配備した部品(３)(31)、実施例では高周波を遮断するためのシールドケース(3a)を、該部品に突設した取付脚(４)をプリント配線基板(１)の共通の孔(２)に嵌めて保持した状態を示している。
【０００８】
図２に示す如く、部品(３)(31)の取付脚(４)は、従来と同様にして、切欠部(43)を挟んで対を成す脚片(41)(41)によって形成されており、切欠部(43)は脚片(41)の先端側へ開口している。
各脚片(41)(41)は先端に外向きの爪(42)(42)を有している。爪(42)の先端縁は脚片(41)と平行に形成されている。
【０００９】
脚片(41)(41)の先端縁は、互いに孔(２)への嵌め込み勾配の斜辺(41a)(41a)となっている。
部品(３)の開口縁から上記斜辺(41a)の下り端までの長さＬは、プリント配線基板(１)の厚みよりも少し短い。
脚片(41)(41)の厚みは、部品の板厚と同じである。
【００１０】
本発明の特徴は、プリント配線基板(１)上の孔(２)の形状にあり、図１では、２つの溝孔(21)(22)が夫々の中央部で直角に交わった十字状を呈している。
各溝孔(21)(22)の長さは、取付脚(４)の先端の最大幅Ｗよりも少し短く、溝幅は、取付脚(４)の厚みよりも大である。
【００１１】
然して、プリント配線基板(１)の一方の面に配備した部品(３)の取付脚(４)を孔(２)の一方の溝孔(21)に嵌める。
取付脚(４)の先端辺は嵌込み勾配に傾斜しているため、該斜辺(41a)(41a)が溝端に当たって、互いの脚片(41)(41)が接近する方向に撓みながら溝孔(21)に嵌まり、図３に示す如く、部品(３)の開口端縁(30)がプリント配線基板(１)に当たってそれ以上の嵌まり込みが阻止される。
溝孔(21)内で弾性復帰しようとする脚片(41)(41)が突っ張った状態となり、部品(３)が不用意に外れることを防止できる。
【００１２】
プリント配線基板(１)の他方の面に部品(31)を配備して、その取付脚(４)を前記孔(２)の他方の溝孔(22)に前記同様にして嵌め込む。
取付脚(４)は、切欠部(43)を挟んで対を成す脚片(41)(41)から成るため、プリント配線基板(１)の両面の部品(３)(31)の取付脚(４)(４)は、互いの切欠部(43)(43)によって干渉が避けられ、取付脚(４)(４)の孔への差込みに支障はない。プリント配線基板(１)の両面の部品(３)(31)の取付脚(４)(４)を基板(１)の共通の孔(２)に嵌めて保持できるため、孔の数を少なくでき、孔の数が増えることによる前記問題をなくすことができる。
【００１３】
図４は、プリント配線基板(１)の厚みに対して、部品(３)(31)の取付脚(４)(４)を前記実施例よりも長く形成して、取付脚(４)の両脚片(41)(41)をプリント配線基板(１)の孔(２)に貫通させ、爪(42)(42)で孔縁を引っ掛けた他の実施例を示している。
この場合、部品(３)(31)をプリント配線基板(１)から外し難いが、それだけ部品(３)の外れ止め効果は高い。
【００１４】
図５は、プリント配線基板(１)の孔(２)を四角形とした他の実施例を示している。四角孔(2a)の一組の対角上(23)上に、プリント配線基板(１)の一方の面上の部品(３)の取付脚(４)を少し弾性変形させ気味に嵌め込み、他の一組の対角上(24)に、基板(１)の他方の面上の部品(31)の取付脚(４)を少し弾性変形させ気味に嵌め込む。
前記図２の場合と同様の効果を有する。
【００１５】
四角孔(2a)が正方形の場合、部品(３)(31)の取付脚(４)(４)は同形状とすることができ、菱形の場合、該菱形孔の対角線の長さの違いによって、部品(３)(31)の取付脚(４)(４)の幅を決めれば可い。
【００１６】
本発明は、上記実施例の構成に限定されることはなく、特許請求の範囲に記載の範囲で種々の変形が可能である。
【図面の簡単な説明】
【図１】プリント配線基板の両面に部品を配備した状態の斜面図である。
【図２】プリント配線基板の十字状孔と部品の取付脚の斜面図である。
【図３】プリント配線基板の両面に部品を配備したときの、孔と取付脚の係合状態を示す断面図である。
【図４】取付脚の爪が孔縁に引っ掛かっている状態の断面図である。
【図５】プリント配線基板の四角孔と部品の取付脚の斜面図である。
【図６】従来のプリント配線基板の孔と部品の取付脚の斜面図である。
【符号の説明】
(１)  プリント配線基板
(２)  孔
(３)  部品
(４)  取付脚
(41)  脚片
(42)  爪
【図１】
0003762614.tif 000002
【図２】
0003762614.tif 000003
【図３】
0003762614.tif 000004
【図４】
0003762614.tif 000005
【図５】
0003762614.tif 000006
【図６】
0003762614.tif 000007